(57)【要約】      （修正有）【課題】構造が簡単な水噴霧ヘッド用のノズルキャップを得る。【解決手段】水噴霧ヘッドのノズル先端部に放水口を開閉可能に覆うように装着される水噴霧ヘッド用のノズルキャップ１であって、ゴム材料により形成されて、水噴霧ヘッド１０のノズル先端部に装着されている状態において、放水口に対向して、放水時には水圧により捲れて放水口を開放する一方、放水停止時にはゴム弾性による復元力により放水口を閉鎖するように復帰する閉鎖部１ａと、ノズル先端部を包囲して、ゴム弾性による復元力によりノズル先端部の外周面に圧着し、放水時でもノズル先端部に装着されている状態を維持する圧着部とを一体のものとして有していることを特徴とする。【選択図】図６
2018099238.tif 000002
【特許請求の範囲】
【請求項１】
水噴霧ヘッドのノズル先端部に放水口を開閉可能に覆うように装着される水噴霧ヘッド用のノズルキャップであって、
ゴム材料により形成されて、水噴霧ヘッドのノズル先端部に装着されている状態において、放水口に対向して、放水時には水圧により捲れて放水口を開放する一方、放水停止時にはゴム弾性による復元力により放水口を閉鎖するように復帰する閉鎖部と、ノズル先端部を包囲して、ゴム弾性による復元力によりノズル先端部の外周面に圧着し、放水時でもノズル先端部に装着されている状態を維持する圧着部とを一体のものとして有していることを特徴とする水噴霧ヘッド用のノズルキャップ。
【請求項２】
前記閉鎖部は、前記放水口より面積が大きいことを特徴とする請求項１に記載の水噴霧ヘッド用のノズルキャップ。
【請求項３】
前記閉鎖部をその重さに抗して復元可能な復元力を有することを特徴とする請求項１又は２に記載の水噴霧ヘッド用のノズルキャップ。
【請求項４】
前記閉鎖部は、複数片のフラップ状の部分からなることを特徴とする請求項１乃至３の何れかに記載の水噴霧ヘッド用のノズルキャップ。
【請求項５】
前記ノズル先端部に設けられるデフレクタが挿通される挿通孔が設けられていることを特徴とする請求項１乃至４の何れかに記載の水噴霧ヘッド用のノズルキャップ。
【発明の詳細な説明】
【技術分野】
【０００１】
この発明は、 水噴霧ヘッドのノズル先端部に装着される防塵用のキャップに関する。
【背景技術】
【０００２】
道路トンネル（以下、単に「トンネル」と言う。）には、防災設備として、消火器や消火栓等の消火設備に加えて、水噴霧設備が設けられることがある。水噴霧設備は、トンネルの天井又は側壁上方等の高所に設置される水噴霧ヘッドを備えており、火災発生時、その水噴霧ヘッドから霧状の水を放水し、火勢の抑制及び延焼の防止等をするために用いられる。なお、水噴霧ヘッドとしては、トンネルの側壁上方の片側のみに設置されていることが多く、その場合、ヘッドが設置される側の一方の側壁側から天井側を含めて他方の側壁側に至るまでの防護区画に均一に放水することができるように、放水距離や放水パターンを異にする複数種類のノズル（近投ノズル、遠投ノズル、超遠投ノズル等）を有するタイプのものが用いられている。
【０００３】
ところで、水噴霧設備において、水噴霧ヘッドには、自動車の排気ガスに由来する煤等による汚れの付着を防ぐために、ノズル先端部に放水口を覆う防塵用のキャップが取り付けられている。従来、そのような防塵用のキャップとして、常時はノズル先端部に取り付けられている状態を保持する一方、放水時は水圧によりノズル先端部から外れるように形成された樹脂成形品が用いられている。しかしながら、放水時にノズル先端部から外れるキャップの場合、定期点検等により放水をした後、設備の復旧をする際に、外れたキャップを再度ノズル先端部に取り付ける作業が必要であり、高所に設置されているヘッドに対する作業になるため、高所作業車を使用しなければならない等、その作業が容易ではないという問題がある。
【０００４】
そこで、例えば、特開２０１６−１３７０９８号公報（特許文献１）に記載の発明は、前部の開口を開閉自在に覆うカバープレートが固定部材により固定されて設けられるノズルホルダと、そのノズルホルダの内部に形成されるシリンダ穴に摺動自在に収納されると共に、常時はリターンスプリングによりノズルホルダの内部に位置する一方、放水時はリターンスプリングに抗して前進してカバープレートを押し開きながらノズルホルダの開口から突出するように設けられるノズルとを備えた水噴霧ヘッドを提案している。
【先行技術文献】
【特許文献】
【０００５】
【特許文献１】特開２０１６−１３７０９８号公報
【発明の概要】
【発明が解決しようとする課題】
【０００６】
特許文献１に記載のカバープレートの場合、ノズルホルダに固定部材により固定されているので、放水がされたとしても、ノズルホルダから外れることはない。
【０００７】
しかしながら、特許文献１に記載のカバープレートは、そもそも、そのカバープレートを開閉させるためのものとして、シリンダやリターンスプリング等によるノズルの摺動機構等の複雑な機構が別途必要なものである。また、そのカバープレートをノズルホルダに固定するための固定部材も別途必要なものである。すなわち、構造が複雑なものであり、施工性の良くないものである。
【０００８】
なお、特許文献１に記載の発明は、前記のカバープレートに代えて、中心から外周方向に放射状に切り込みを入れたゴムベロを用いることも提案しているが、ノズルの摺動機構等の複雑な機構が別途必要なものであることに変わりはないし、また、ゴムベロをノズルホルダに固定するためのプレートやビス等が別途必要であり、固定部材が別途必要なものであることに変わりはない。すなわち、構造が複雑なものであることに変わりはなく、施工性の良くないものであることに変わりはない。
【０００９】
この発明は、上記の事情に鑑み、構造が簡単な水噴霧ヘッド用のノズルキャップを得ることを目的とする。
【課題を解決するための手段】
【００１０】
この発明は、水噴霧ヘッドのノズル先端部に放水口を開閉可能に覆うように装着される水噴霧ヘッド用のノズルキャップであって、ゴム材料により形成されて、水噴霧ヘッドのノズル先端部に装着されている状態において、放水口に対向して、放水時には水圧により捲れて放水口を開放する一方、放水停止時にはゴム弾性による復元力により放水口を閉鎖するように復帰する閉鎖部と、ノズル先端部を包囲して、ゴム弾性による復元力によりノズル先端部の外周面に圧着し、放水時でもノズル先端部に装着されている状態を維持する圧着部とを一体のものとして有していることを特徴とする水噴霧ヘッド用のノズルキャップである。
【００１１】
また、この発明は、前記閉鎖部は、前記放水口より面積が大きいことを特徴とする水噴霧ヘッド用のノズルキャップである。
【００１２】
また、この発明は、前記閉鎖部をその重さに抗して復元可能な復元力を有することを特徴とする水噴霧ヘッド用のノズルキャップである。
【００１３】
また、この発明は、前記閉鎖部は、複数片のフラップ状の部分からなることを特徴とする水噴霧ヘッド用のノズルキャップである。
【００１４】
また、この発明は、前記ノズル先端部に設けられるデフレクタが挿通される挿通孔が設けられていることを特徴とする水噴霧ヘッド用のノズルキャップである。
【発明の効果】
【００１５】
この発明によれば、固定部材なしでも、ノズルに装着することができる。
【００１６】
したがって、この発明によれば、構造が簡単な水噴霧ヘッド用のノズルキャップを得ることができる。
【００１７】
また、この発明によれば、閉鎖部を放水口より面積の大きいものとすることにより、例えば、放水口が上向きに設置されるノズルの先端部に装着する場合に、閉鎖部を常時において復元力に加えて自重により放水口を閉鎖する状態に維持するものとすることができる。
【００１８】
また、この発明によれば、閉鎖部をその重さに抗して復元可能な復元力を有するものとすることにより、例えば、放水口が下向きに設置されるノズルの先端部に装着する場合に、閉鎖部を、常時においてその重さに抗して復元力により放水口を閉鎖する状態に維持するものとすることができると共に、放水停止時においてその重さに抗して復元力により放水口を閉鎖する状態に復帰するものとすることができる。
【００１９】
また、この発明によれば、閉鎖部を複数片のフラップ状の部分からなるものとすることにより、各フラップ状の部分の重さを軽くして、各フラップ状の部分をその重さに抗して復元可能な復元力を有するものとすることができ、ひいては閉鎖部全体をその重さに抗して復元可能な復元力を有するものとすることができる。
【００２０】
また、この発明によれば、ノズル先端部に設けられるデフレクタが挿通される挿通孔が設けられているものとすることにより、そのようなデフレクタが設けられるノズル先端部であっても装着することができる。
【図面の簡単な説明】
【００２１】
【図１】この発明の水噴霧ヘッド用のノズルキャップの実施形態の一例を示した説明図であり、（ａ）が常時の閉鎖部が閉鎖している状態を示したものであり、（ｂ）が放水時の閉鎖部が開放している状態を示したものである。
【図２】同上の他の例を示したものであり、図１に相当する図である。
【図３】同上の他の例を示したものであり、図１に相当する図である。
【図４】同上の他の例を示したものであり、図１に相当する図である。
【図５】同上の他の例を示したものであり、図１（ａ）に相当する図である。
【図６】トンネルに設置される水噴霧ヘッドの一例を示すと共に、その水噴霧ヘッドのノズルに、この発明の水噴霧ヘッド用のノズルキャップが装着されている状態を示した図である。
【図７】（ａ）が図６の一部（近投ノズル部分）拡大図であり、（ｂ）がその縦断面図である。
【図８】（ａ）が図６の一部（遠投ノズル部分）拡大図であり、（ｂ）がその縦断面図である。
【図９】（ａ）が図６の一部（超遠投ノズル部分）拡大図であり、（ｂ）がその縦断面図である。
【発明を実施するための形態】
【００２２】
この発明の水噴霧ヘッド用のノズルキャップの実施形態について、トンネルの防災設備の一つとして設置される水噴霧設備の水噴霧ヘッドが有する複数種類のノズルに装着されるものの場合を例として、図１乃至図９に基づいて説明する。なお、この発明の水噴霧ヘッド用のノズルキャップは、そのようなトンネルに設置される水噴霧ヘッドに限らず、種々の水噴霧ヘッドのノズルに装着することも可能である。
【００２３】
ここで、この発明の水噴霧ヘッド用のノズルキャップについて説明をする前に、トンネルに設置される水噴霧設備及びその水噴霧ヘッドについて簡単に説明する。
【００２４】
水噴霧設備は、トンネルの天井又は側壁上方に設置される水噴霧ヘッドを備えており、火災発生時、その水噴霧ヘッドから霧状の水を放水して、火勢の抑制と延焼の防止等に用いられるものである。そして、水噴霧ヘッドは、一般に、トンネルの側壁上方の片側のみに設置されていることが多く、その場合、ヘッドが設置される側の一方の側壁側から天井側を含めて他方の側壁側に至るまでの防護区画に均一に放水することができるように、放水距離や放水パターンを異にする複数種類のノズルを有するタイプのものが用いられている。
【００２５】
図６は、そのような水噴霧ヘッドの一例を示したものである。同図に示したように、水噴霧ヘッド１０は、１つのヘッド中に、近投ノズル１１、遠投ノズル１２及び超遠投ノズル１３の上中下三段に配置される３つのノズルを有している。近投ノズル１１は、下段に位置して、近い領域に向けて放水するものであり、先端部の放水口１１ａを下方に向けて設けられている。遠投ノズル１２は、中段に位置して、近投ノズル１１より遠い領域に向けて放水するものであり、先端部の放水口１２ａを上方に向けて設けられている。なお、図示の例の場合、遠投ノズル１２は、先端部にデフレクタ１２ｃを有している。超遠投ノズル１３は、上段に位置して、遠投ノズル１２より遠い領域に向けて放水するものであり、放水口１３ａを上方に向けて設けられている。水噴霧ヘッド１０は、これら３つのノズル１１乃至１３から放水することにより、防護区画に均一に放水することができるものである。
【００２６】
そして、この発明の水噴霧ヘッド用のノズルキャップは、例えば、前記のトンネルの側壁上部に設置される水噴霧ヘッド１０が有しているノズル１１乃至１３に装着することができるものである。図１乃至図５は、何れも、この発明の水噴霧ヘッド用のノズルキャップを概念的に示した説明図であるが、全体の形状や閉鎖部の形状等を異にする態様ごとに図を分けて示したものである。それら図１乃至図５に基づいて、この発明の水噴霧ヘッド用のノズルキャップの概要を説明する。なお、水噴霧ヘッド１０のノズル１１乃至１３に装着されている際の状態の詳細については、図６のヘッドの全体図及び図７乃至９の各ノズルの拡大図に基づいて後記で説明する。
【００２７】
図１乃至図５において、この発明の水噴霧ヘッド用のノズルキャップ（以下、単に「ノズルキャップ」と言う。）１は、先ず、ゴム材料から形成されている。その厚さについては、薄く形成されており、柔軟性があり、且つ伸縮性があるように形成されている。なお、図１乃至図５は、何れも、ノズルキャップ１がノズルに装着されて伸張した状態を想定して示している。
【００２８】
そして、ノズルキャップ１は、水噴霧ヘッドのノズル先端部に装着されている状態において、放水口に対向して、放水時には水圧により捲れて放水口を開放する一方、放水停止時にはゴム弾性による復元力により放水口を閉鎖するように復帰する閉鎖部１ａと、ノズル先端部を包囲して、ゴム弾性による復元力によりノズル先端部の外周面に圧着し、放水時でもノズル先端部に装着されている状態を維持する圧着部１ｂとを一体のものとして有している。
【００２９】
これにより、ノズルキャップ１は、放水時にはノズル先端部に装着される状態を維持しつつ、放水口を自動的に開放することができる一方、放水停止時には放水口を自動的に閉鎖することができるようになっており、それでいながら、簡単な構造であり、また、本体のみで、固定部材なしに、単にノズル先端部に被せるようにするだけで、簡単にノズルに装着することができるようになっている。
【００３０】
なお、ノズルキャップ１は、本実施形態の場合、具体的には、伸張した状態において、全体として、一方の端部（図面上の上部）に平坦な蓋部１ｃを有すると共に、他方の端部（図面上の下部）に開口部１ｄを有する有蓋の筒状をなすものとして形成されており、その蓋部１ｃ側に前記の閉鎖部１ａが形成されていると共に、その開口部１ｄ側に前記の圧着部１ｂが形成されている。
【００３１】
ここで、ノズルキャップ１において、閉鎖部１ａを復元する復元力については、閉鎖部１ａの重さに勝り、その重さに抗して復元可能なものとするのが好ましい。そのようにすることにより、例えば、放水口が下向きに設置されるノズルの先端部に装着する場合に、閉鎖部１ａを、常時においてはその重さに抗して復元力により放水口を閉鎖する状態に維持するものとすることができると共に、放水停止時においては、その重さに抗して復元力により放水口を閉鎖する状態に復帰するものとすることができる。なお、閉鎖部１ａを復元する復元力は、最も簡単にはキャップ全体の厚さを厚くすることにより強くすることができる。
【００３２】
そして、ノズルキャップ１において、キャップ全体の形状や閉鎖部１ａの形状等については、装着するノズルの形状等に対応したものとすることができる。図１乃至図５は、キャップ全体の形状や閉鎖部１ａの形状等を異にする態様ごとに図を分けて示したものである。なお、これらの図面中、図１乃至図４において、（ａ）は、何れも、閉鎖部１ａが閉鎖している状態を示しており、（ｂ）は、何れも、閉鎖部１ａが放水Ｗの水圧により前方に捲れて開口１ｇし、放水口を開放する状態を示している。
【００３３】
図１は、ノズルキャップ１として、円形の放水口を有する円筒状のノズル先端部に装着されるものであって、キャップ全体の形状が有蓋の円筒状をなすと共に、閉鎖部１ａが略円形をなし、且つ、その閉鎖部１ａが略円形の１片のフラップ状の部分からなるものを示している。また、図２は、ノズルキャップ１として、矩形の放水口を有する角筒状のノズル先端部に装着されるものであって、キャップ全体の形状が有蓋の角筒状をなすと共に、閉鎖部１ａが略矩形をなし、且つ、その閉鎖部１ａが略矩形の１片のフラップ状の部分からなるものを示している。
【００３４】
これら図１及び図２に示したものにおいて、閉鎖部１ａを形成する１片のフラップ状の部分は、ノズルキャップ１の平坦な蓋部１ｃ上に支持部１ｅとなる部分を残して略円形又は略矩形に切り込みを入れることにより形成されている。なお、図示の例においては、蓋部１ｃ上に残す支持部１ｅを１箇所としているが、複数個所とすることもできる。ここで、閉鎖部１ａを復元する復元力は、キャップ全体の厚みを厚くするだけでなく、蓋部１ｃ上に残す支持部１ｅの大きさを大きくしたり、その数を多くしたりすることによっても強くすることができる。さらには、支持部１ｅの部分のみを厚くしたり、支持部１ｅの部分からフラップ状の部分に至るリブ状の部分を形成したりすることによっても強くすることができる。 また、１片のフラップ状の部分により形成される閉鎖部１ａの面積は、放水口の面積よりも大きくするのが好ましい。そのようにすることにより、ノズルキャップ１を放水口が上向きに設置されるノズル先端部に装着する場合に、閉鎖部１ａを常時において復元力に加えて自重により放水口を閉鎖する状態に維持するものとすることができる。
【００３５】
図３及び図４は、閉鎖部１ａを形成するフラップを複数片からなるものに代えた場合の例をそれぞれ示したものである。
【００３６】
図３は、ノズルキャップ１として、図１に示したものと同様、円形の放水口を有する円筒状のノズル先端部に装着されるものであって、全体の形状が有蓋の円筒状をなすと共に、閉鎖部１ａが略円形をなすものであるが、図１に示したものとは異なり、閉鎖部１ａが全体として略円形をなす複数片のフラップ状の部分からなるものを示している。また、図４は、ノズルキャップ１として、図２に示したものと同様、矩形の放水口を有する角筒状のノズル先端部に装着されるものであって、キャップ全体の形状が有底の角筒状をなすと共に、閉鎖部１ａが略矩形をなすものであるが、図２に示したものとは異なり、閉鎖部１ａが全体として略矩形をなす複数片のフラップ状の部分からなるものを示している。
【００３７】
これら図３及び図４に示したものにおいて、閉鎖部１ａを形成する複数片のフラップ状の部分は、ノズルキャップ１の平坦な蓋部１ｃ上に中心から外方に放射状の切り込みを入れることにより形成されており、各々は蓋部１ｃに支持部１ｅによって支持される略三角形をなしているが、全体としては略円形又は略矩形をなすように形成されている。なお、これら複数片のフラップ状の部分により形成される閉鎖部１ａの面積も、フラップを１片とする場合と同様、放水口の面積よりも大きく形成するのが好ましい。
【００３８】
ここで、図３及び図４に示したもののように、閉鎖部１ａを複数片のフラップ状の部分からなるものとすることにより、各フラップ状の部分の重さを軽くして、各フラップ状の部分をその重さに抗して復元可能な復元力を有するものとすることができ、ひいては閉鎖部１ａ全体としてその重さに抗して復元可能な復元力を有するものとすることができる。それにより、前記の通り、例えば、放水口が下向きに設置されるノズルの先端部に装着する場合に、閉鎖部１ａを、常時においてはその重さに抗して復元力により放水口を閉鎖する状態に維持するものとすることができるし、放水停止時においては、その重さに抗して復元力により放水口を閉鎖する状態に復帰するものとすることができる。
【００３９】
最後に、図５は、ノズルキャップ１として、放水口の前方に位置するデフレクタが設けられているノズル先端部に装着されるものであり、そのデフレクタが挿通される挿通孔１ｆを有するものを示している。なお、キャップ全体の形状及び閉鎖部１ａの形状は、図３に示した態様と同じものを示している。
【００４０】
次に、図６のヘッドの全体図及び図７乃至図９の各ヘッドの拡大図に基づいて、この発明のノズルキャップ１が、水噴霧ヘッド１０が有している各ノズル１１乃至１３に装着されている際の状態について説明する。
【００４１】
水噴霧ヘッド１０において、近投ノズル１１、遠投ノズル１２及び超遠投ノズル１３は、放水口１１ａ、１２ａ、１３ａの形状を含むノズル先端部の形状等が異なっているが、図６のヘッドの全体図及び図７乃至図９の各ヘッドの拡大図に示したように、各ノズルの形状等に対応して形成されているノズルキャップ１がそれぞれ装着されている。なお、これらの図面において、図示の便宜上、ノズルキャップ１の外観については点ハッチングを付して表しており、また、断面については太線により表している。
【００４２】
具体的には、近投ノズル１１は、ノズル先端部が円形の放水口１１ａを有する略円筒状をなすものであるので、ノズルキャップ１としては、キャップ全体が略円筒状をなすと共に、閉鎖部１ａが略円形をなすものの装着が可能であるが、図示の例においては、閉鎖部１ａが複数片のフラップ状の部分からなるものが装着されている。すなわち、図３に示したものと同じタイプのノズルキャップ１が装着されている。
【００４３】
ここで、近投ノズル１１は、放水口１１ａが下向きに設置されるものである。そのような近投ノズル１１にノズルキャップ１を装着する場合、その閉鎖部１ａを複数片のフラップ状の部分からなるものとすることにより、各フラップ状の部分の重さを軽くして、各フラップ状の部分をその重さに抗して復元可能な復元力を有するものとし、閉鎖部１ａ全体としてもその重さに抗して復元可能な復元力を有するものとすれば、閉鎖部１ａを、常時においてはその重さに抗して復元力により放水口を閉鎖する状態に維持するものとすることができるし、放水停止時においては、その重さに抗して復元力により放水口を閉鎖する状態に復帰するものとすることができる。
【００４４】
この近投ノズル１１に対してノズルキャップ１は、図７の拡大図に詳細を示したように、閉鎖部１ａが放水口１１ａに対向する配置で、蓋部１ｃがノズル先端部の端面に自身の復元力により張り付いて圧着すると共に、開口部１ｄに設けられる圧着部１ｂがノズル先端部に形成される鍔状部１１ｂの外周面に自身の復元力により鍔状部１１ｂを巻き込むように張り付いて圧着する状態で装着されている。
【００４５】
なお、この近投ノズル１１には、ノズルキャップ１として、図１に示したような閉鎖部１ａが１片のフラップ状の部分からなるタイプのものを装着してもよい。
【００４６】
遠投ノズル１２は、ノズル先端部が円形の放水口１２ａを有する略円筒状をなすものであり、且つ、放水口１２ａの前方に位置するデフレクタ１２ｃが設けられているものであるので、ノズルキャップ１としては、キャップ全体が略円筒状をなすと共に、閉鎖部１ａが略円形をなし、且つ、図５に示したタイプのもののように、デフレクタ用の挿通孔１ｆが設けられているものの装着が可能であるが、図示の例においては、閉鎖部１ａが複数片のフラップ状の部分からなるものが装着されている。すなわち、図５に示したものと同じタイプのノズルキャップ１が装着されている。
【００４７】
この遠投ノズル１２に対してノズルキャップ１は、図８の拡大図に詳細を示したように、挿通孔１ｆにデフレクタ１２ｃが挿通されている状態で、その他は近投ノズル１１に対するのと同様、閉鎖部１ａが放水口１２ａに対向する配置で、蓋部１ｃがノズル先端部の端面に自身の復元力により張り付いて圧着すると共に、開口部１ｄに設けられる圧着部１ｂがノズル先端部に形成される鍔状部１２ｂの外周面に自身の復元力により鍔状部１２ｂを巻き込むように張り付いて圧着する状態で装着されている。
【００４８】
なお、このデフレクタ１２ｃを有する遠投ノズル１２には、ノズルキャップ１として、閉鎖部１ａが１片のフラップ状の部分からなるタイプのものを装着してもよい。
【００４９】
そして、超遠投ノズル１３は、ノズル先端部が矩形の放水口１３ａを有する略角筒状をなすものであるので、ノズルキャップ１としては、キャップ全体が略角筒状をなすと共に、閉鎖部１ａが略矩形をなすものの装着が可能であるが、図示の例においては、閉鎖部１ａが１片のフラップ状の部分からなるものが装着されている。すなわち、図２に示したものと同じタイプのノズルキャップ１が装着されている。
【００５０】
この超遠投ノズル１３に対してノズルキャップ１は、図９の拡大図に詳細を示したように、近投ノズル１１に対するのと同様、閉鎖部１ａが放水口１３ａに対向する配置で、蓋部１ｃがノズル先端部の端面に自身の復元力により張り付いて圧着すると共に、開口部１ｄに設けられる圧着部１ｂがノズル先端部に形成される鍔状部１３ｂの外周面に自身の復元力により鍔状部１３ｂを巻き込むように張り付いて圧着する状態で装着されている。
【００５１】
ここで、超遠投ノズル１３は、放水口１３ａが上向きに設置されるものであるが、装着されているノズルキャップ１において、１片のフラップ状の部分からなる閉鎖部１ａの面積は、放水口１３ａの面積よりも大きくなっており（図９（ａ）参照）、閉鎖部１ａが常時において復元力に加えて自重により放水口１３ａを閉鎖する状態に維持することができるようになっている。
【００５２】
なお、この超遠投ノズル１３には、ノズルキャップ１として、図４に示したような閉鎖部１ａが複数片のフラップ状の部分からなるタイプのものを装着してもよい。
【００５３】
以上、この発明の実施形態について詳細に説明したが、この発明は上記の実施形態に限定されるものではなく、種々の変更が可能である。
【００５４】
なお、この発明のノズルキャップ１は、前述した効果に加えて、以下のような効果をも奏するものである。
・ゴム材料から形成されているため、コストが安い。
・ノズル１１乃至１３に装着された状態から、万が一落下しても、人や他の機器等に被害を与えることがない。
・ノズルキャップ１の交換時には、ノズル１１乃至１３からノズルキャップ１を切って外して、新しいノズルキャップ１を被せるだけでよく、交換作業が容易である。
【符号の説明】
【００５５】
１：ノズルキャップ  １ａ：閉鎖部  １ｂ：圧着部  １ｃ：蓋部
１ｄ：開口部  １ｅ：支持部  １ｆ：挿通孔  １ｇ：開口
１０：水噴霧ヘッド  １１：近投ノズル  １１ａ：放水口  １１ｂ：鍔状部
１２：遠投ノズル  １２ａ：放水口  １２ｂ：鍔状部  １２ｃ：デフレクタ
１３：超遠投ノズル  １３ａ：放水口  １３ｂ：鍔状部
【図１】
2018099238.tif 000003
【図２】
2018099238.tif 000004
【図３】
2018099238.tif 000005
【図４】
2018099238.tif 000006
【図５】
2018099238.tif 000007
【図６】
2018099238.tif 000008
【図７】
2018099238.tif 000009
【図８】
2018099238.tif 000010
【図９】
2018099238.tif 000011